(57)【要約】【課題】成形体の組織状態と発光性能との関係を考慮して発光をより長時間所定の輝度で持続する等の発光性能をさらに向上させる。【解決手段】透明性母材に蓄光発光性顔料成分が混合されて硬化されている蓄光発光材であって、透明性母材の粘度は１Ｐａ・ｓ以上（２０℃）であり、透明性母材はその割合が７〜９５重量％の範囲であることとする。【選択図】        なし【特許請求の範囲】
【請求項１】
透明性母材に蓄光発光性顔料成分が混合されて硬化されている蓄光発光材であって、透明性母材の粘度は１Ｐａ・ｓ以上（２０℃）であり、透明性母材はその割合が７〜９５重量％の範囲であることを特徴とする高蓄光発光材。
【請求項２】
蓄光発光性顔料成分の平均粒径が１０〜２０００μｍの範囲であることを特徴とする請求項１の高蓄光発光材。
【請求項３】
透明性母材は樹脂またはガラスもしくはその両者であることを特徴とする請求項１または２の高蓄光発光材。
【請求項４】
請求項１ないし３のいずれかの高蓄光発光材であって、蓄光発光性顔料とともに他の顔料成分が配合されていることを特徴とする高蓄光発光材。
【請求項５】
蓄光発光性顔料成分（Ａ）と他の顔料成分（Ｂ）との重量配合比がＢ／Ａとして３．０以下であることを特徴とする請求項４の高蓄光発光材。
【請求項６】
他の顔料成分として、白色顔料、黄色顔料およびオレンジ色または赤色顔料のうちの少くとも１種が配合されていることを特徴とする請求項４または５の高蓄光発光材。
【請求項７】
白色顔料がジルコニウムの酸化物もしくは複合酸化物であることを特徴とする請求項６の高蓄光発光材。
【請求項８】
請求項１ないし７のいずれかの高蓄光発光材であって、透明性骨材が配合されていることを特徴とする高蓄光発光材。
【請求項９】
透明性母材（Ｃ）と透明性骨材（Ｄ）との重量配合比がＤ／Ｃとして０．１〜６の範囲であることを特徴とする請求項８の高蓄光発光材。
【請求項１０】
高蓄光発光材の製造方法であって、透明性母材に蓄光発光性顔料成分、もしくは蓄光発光性顔料成分とともに他の顔料成分および透明性骨材のうちの少くとも１種を混合してペースト、モルタルまたは粘稠物を調製し、これを成形硬化することを特徴とする高蓄光発光材の製造方法。
【請求項１１】
ペースト、モルタルまたは粘稠物の単位体積当りの気泡含有率を２％以下に混合調製することを特徴とする請求項１０の高蓄光発光材の製造方法。
【請求項１２】
常圧から５０ｋＰａ以上減圧した雰囲気下で混合調製することを特徴とする請求項１０または１１の高蓄光発光材の製造方法。
【請求項１３】
混合容器内面および攪拌羽根表層部の少くとも一方が透明もしくは白色の被覆材で被覆された混合装置において混合調製することを特徴とする請求項１０ないし１２のいずれかの高蓄光発光材の製造方法。
【請求項１４】
透明性母材の粘度は１Ｐａ・ｓ以上（２０℃）であることを特徴とする請求項１０ないし１３のいずれかの高蓄光発光材の製造方法。
【請求項１５】
透明性母材は樹脂またはガラスもしくはその両者であることを特徴とする請求項１０ないし１４のいずれかの高蓄光発光材の製造方法。
【請求項１６】
蓄光発光性顔料成分の平均粒径が１０〜２０００μｍの範囲であることを特徴とする請求項１０ないし１５のいずれかの高蓄光発光材の製造方法。
【請求項１７】
透明性母材の割合が７〜９５重量％の範囲であることを特徴とする請求項１０ないし１６のいずれかの高蓄光発光材の製造方法。
【請求項１８】
蓄光発光性顔料成分（Ａ）と他の顔料成分（Ｂ）との重量配合比がＢ／Ａとして３．０以下であることを特徴とする請求項１０ないし１７のいずれかの高蓄光発光材の製造方法。
【請求項１９】
透明性母材（Ｃ）と透明性骨材（Ｄ）との重量配合比がＤ／Ｃとして０．１〜６の範囲であることを特徴とする請求項１０ないし１８のいずれかの高蓄光発光材の製造方法。
【発明の詳細な説明】
【０００１】
【発明の属する技術分野】
この出願の発明は高蓄光発光材とその製造方法に関するものである。さらに詳しくは、この出願の発明は、建築、土木用の仕上材や各種の表示材、これを用いた設備等として有用な、極めて高い蓄光発光性能を有し、長時間にわたって高い視認性効果を維持可能とする、新しい高蓄光発光材とその製造方法に関するものである。
【０００２】
【従来の技術とその課題】
従来より、天然石を粉砕し、これを樹脂等に混合して固化させた人造石が知られている。そして、この人造石について、大理石、御影石等の天然石調の意匠を持ち、しかも硬度、強度にも優れたものとするための工夫が様々に行われてきている。
【０００３】
このような人造石の機能、性能向上の一つの試みとして、蓄光発光性物質を用いて発光機能を付与することが提案されている。
たとえば、無機質充填材および合成樹脂とともに蓄光発光性顔料を含有し、全体量の約５０重量％以上を無機質充填材とした発光性タイルが提案されている（特開昭６０−１３７８６２号公報）。たとえばこの発光性タイルについては、平均粒径が０．２ｍｍ以上の無機質充填材として硅砂７５重量％と、重量比で２５／７５のＭＭＡ重合体／ＭＭＡモノマーとからなるシロップ１５重量％、並びに蓄光発光性顔料９重量％との組成物を成形硬化させて３〜５ｍｍの板厚としたものが提示されている。
【０００４】
しかしながら、たとえば上記のような蓄光発光性顔料を含有させた発光材料の場合には、Ｄ６５常用光源２００Ｌｘ照射による飽和状態から人が物の輪郭を確認できる下限値としての３ｍｃｄ／ｍ2の輝度まで発光が維持できるのはたかだか数時間であって、上記の提案（特開昭６０−１３７８６２号公報）では１時間にとどまっている。
【０００５】
また、初期輝度、すなわち停電時の避難誘導のために必要と考えられる１５分間程度の間の鮮明な視認のための輝度も充分なレベルではないという問題があった。
【０００６】
そして蓄光発光性顔料の配合にもかかわらず、発光が可能とされるのは、材料の表面もしくはせいぜい１ｍｍ程度の表面からの深さまでであって、それ以上では、成形体の内部に含まれた蓄光発光性顔料は全く作用しないという欠点があった。
【０００７】
このため、発光の厚みが得られず、発光時間の延長も難しいというような、前記のとおりの発光性能についての基本的な問題があった。
実際、このような問題点が存在することから、たとえば地下街における停電時の避難誘導ガイド等としてその機能が注目されている蓄光発光性が実用的に生かされているのは蓄光発光性顔料含有の塗料や樹脂テープもしくは樹脂フィルムに限られているが、それも上述の問題から充分に機能しているとは言えなかった。
【０００８】
そして、蓄光発光性顔料は高価なものであり、少量の添加でも全体コストを３〜１００倍にまで上昇させるため、蓄光発光性顔料を実際には発光に寄与しない部分として人造石に含有することはコスト的にも実用的ではない。
【０００９】
このようなことから、従来の蓄光発光性材については、その性能、そして用途が極めて限られたものとなっていた。
以上のような状況に鑑みて、この出願の発明者らは、無機質な骨材や充填材を樹脂とともに含有する材料として、高強度で高硬度、しかも深みのある天然石材調の色合いを実現するとともに、より少ない蓄光発光性顔料を含有させて、厚みのある発光を可能として、外形厚みをより効率的に利用することができ、しかもより長時間の発光を可能とする材料を提案した（たとえば、ＷＯ９８／３９２６８，９８／３５９１９）。
【００１０】
これらの提案においては、無機質骨材や充填材として、その平均粒径が大きく異なる複数群の無機質材を特定の配合割合で使用することや、粒径の大きな群の無機質材として透明性のものを用いること、そして蓄光発光性顔料は、より粒径の小さな群の一つとして配合するか、あるいは、これらを粒径の大きな群の透明性無機質材の粒子表面にあらかじめ焼付け等によって被覆しておくことを本質的な特徴としている。
【００１１】
そして、これらの提案は、蓄光発光性顔料等による発光に寄与する厚みの増大は、人造石等の成形体の内部組織の制御によって可能になるとの新しい知見に基づくものであった。
【００１２】
実際、この出願の発明者らの提案に基づく人造石においては、３ｍｃｄ／ｍ2の輝度を８時間程度以上持続することを可能としている。
そしてその後の検討において、この出願の発明者らは、発光をより長時間所定の輝度で持続する等の発光性能のさらなる向上を図ること、特に人造石等の成形体の組織状態と発光性能との関係を制御することにより発光性能の向上を図ることを大きな課題としてきた。
【００１３】
【課題を解決するための手段】
この出願の発明は、上記の課題を解決するためになされたものであって、第１には、透明性母材に蓄光発光性顔料成分が混合されて硬化されている蓄光発光材であって、透明性母材の粘度は１Ｐａ・ｓ以上（２０℃）であり、透明性母材はその割合が７〜９５重量％の範囲であることを特徴とする高蓄光発光材を提供し、第２には、その際の蓄光発光性顔料成分の平均粒径が１０〜２０００μｍの範囲であることを特徴とする高蓄光発光材を、第３には、透明性母材は樹脂またはガラスもしくはその両者であることを特徴とする高蓄光発光材を提供する。
【００１４】
また、第４には、この出願の発明は、上記の高蓄光発光材において、蓄光発光性顔料とともに他の顔料成分が配合されていることを特徴とする高蓄光発光材を提供し、第５には、蓄光発光性顔料成分（Ａ）と他の顔料成分（Ｂ）との重量配合比がＢ／Ａとして３．０以下であることを特徴とする高蓄光発光材を、第６には、他の顔料成分として、白色顔料、黄色顔料およびオレンジ色または赤色顔料のうちの少くとも１種が配合されていることを特徴とする高蓄光発光材を、第７には、白色顔料がジルコニウムの酸化物もしくは複合酸化物であることを特徴とする高蓄光発光材を提供する。
【００１５】
さらにこの出願の発明は、第８には、以上の高蓄光発光材において、透明性骨材が配合されていることを特徴とする高蓄光発光材を提供し、第９には透明性母材（Ｃ）と透明性骨材（Ｄ）との重量配合比がＤ／Ｃとして０．１〜６の範囲であることを特徴とする高蓄光発光材を提供する。
【００１６】
そして、この出願の発明は、第１０には、高蓄光発光材の製造方法であって、透明性母材に蓄光発光性顔料成分、もしくは蓄光発光性顔料成分とともに他の顔料成分および透明性骨材のうちの少くとも１種を混合してペースト、モルタルまたは粘稠物を調製し、これを成形硬化することを特徴とする高蓄光発光材の製造方法を提供し、第１１には、ペースト、モルタルまたは粘稠物の単位体積当りの気泡含有率を２％以下に混合調製することを特徴とする高蓄光発光材の製造方法を、第１２には、常圧から５０ｋＰａ以上減圧した雰囲気下で混合調製することを特徴とする高蓄光発光材の製造方法を、第１３には、混合容器内面および攪拌羽根表層部の少くとも一方が透明もしくは白色の被覆材で被覆された混合装置において混合調製することを特徴とする高蓄光発光材の製造方法を提供する。第１４には、透明性母材の粘度は１Ｐａ・ｓ以上（２０℃）であることを特徴とする高蓄光発光材の製造方法を、第１５には、透明性母材は樹脂またはガラスもしくはその両者であることを特徴とする高蓄光発光材の製造方法を、第１６には、蓄光発光性顔料成分の平均粒径が１０〜２０００μｍの範囲であることを特徴とする高蓄光発光材の製造方法を、第１７には、透明性母材の割合が７〜９５重量％の範囲であることを特徴とする高蓄光発光材の製造方法を、第１８には、蓄光発光性顔料成分（Ａ）と他の顔料成分（Ｂ）との重量配合比がＢ／Ａとして３．０以下であることを特徴とする高蓄光発光材の製造方法を、第１９には、透明性母材（Ｃ）と透明性骨材（Ｄ）との重量配合比がＤ／Ｃとして０．１〜６の範囲であることを特徴とする高蓄光発光材の製造方法を提供する。
【００１７】
以上のとおりのこの出願の発明は、蓄光発光性顔料を含有する蓄光発光材について、蓄光発光性能の向上を図るとのこの出願の発明者による詳細で多面的観点からの検討によって得られた、大粒径の蓄光発光性顔料を高粘性の透明性母材に均一分散させることにより高性能の蓄光発光成形体を実現することができるとの知見、並びに気泡や異物の混入を防止することでさらなる高性能化が図られるとの知見に基づいて完成されたものである。このような知見、そしてこの出願の発明は、従来からは想定することも予見することも全くできないものである。
【００１８】
【発明の実施の形態】
この出願の発明は上記のとおりの特徴をもつものであるが、以下にその実施の形態について説明する。
【００１９】
この出願の発明が提供する高蓄光発光材は、基本的に次の成分組成を有している。
・透明性母材
・蓄光発光性顔料成分
そして、この発明の高蓄光発光材は、次の成分を有してもよい。
【００２０】
・他の顔料成分
・透明性骨材
もちろん、これ以外にも、発明の目的、効果を阻害しない限り、硬化触媒や硬化助剤、粘度調整剤、紫外線劣化防止剤、抗菌剤等を適宜に添加配合してもよいことは言うまでもない。
【００２１】
まず、この出願の発明において透明性母材に混合される蓄光発光性顔料については、従来公知のもの、そして市販されているものをはじめ各種のものの使用が考慮される。たとえばアルミン酸ストロンチウム系物質や硫化亜鉛等物質等である。これらの蓄光発光性顔料は、その平均粒径は、１０μｍ以上のものが使用できるが、この出願の発明においては、より好ましくは３０〜２０００μｍ、さらには１００μｍ〜２０００μｍのより大粒径のものが好適に使用される。
【００２２】
従来では、このような大きな粒径の蓄光発光性顔料を用いることは容易ではなかった。蓄光発光材の板材厚み方向に均一に蓄光発光性顔料を分散させることが難しく、蓄光発光作用は片側面近傍に偏在することになりやすいからであった。
【００２３】
大粒径の蓄光発光材が使用可能とされることが、蓄光発光性顔料にはより大きなエネルギーが吸収されてこれが長時間の発光持続を可能とすることになる。
蓄光発光性顔料の配合については、通常は、目的とする蓄光発光材成形体の全体重量の５重量％以上とすることが好ましい。５重量％未満の場合には、所要の充分な蓄光発光機能が得られにくい。
【００２４】
この出願の発明においては、一般的な蓄光発光機能の目安として、Ｄ６５常用光源２００Ｌｘ照射による飽和状態から人が物の輪郭を視認することのできる下限値としての３ｍｃｄ／ｍ2輝度まで発光が持続する時間が８時間以上とすることが考慮されることから、この観点から、蓄光発光性顔料成分の透明性母材への混合割合が、他の配合成分との組合わせも考慮して選択されることになる。
【００２５】
以上の蓄光発光作用を可能とするために、この出願の発明においては、透明性母材として、その粘度が１Ｐａ・ｓ（２０℃）以上の粘度の高いものを使用する。高粘度の透明性母材の使用によって、比較的大粒径の蓄光発光性顔料が板材の厚み方向にも均一に分散可能になる。
【００２６】
透明性母材については、光透過性が高いものであれば白色や、その他の色調を有していてもよい。一般的には、その光透過性は、紫外線透過率が７０％以上、さらには８５％以上のものが好適に用いられる。このような透明性母材は、樹脂やガラス等であってよく、樹脂の場合には、たとえばＰＭＭＡやその変性樹脂等のメチルメタクリレート（ＭＭＡ）系樹脂、不飽和ポリエステル系樹脂、エポキシ系樹脂、シリコーン系樹脂等の熱硬化性樹脂が好適に使用されるが、ポリカーボネート系樹脂やポリプロピレン系樹脂のような熱可塑性樹脂であってもよい。
【００２７】
ここで、透明性母材の粘度とは、成形硬化前において蓄光発光性顔料が混合される樹脂のシロップやペースト、モルタル等の液状体あるいは粘稠体、もしくは溶融物の状態にあるものの粘度を意味しており、樹脂のシロップやペーストの場合には、ポリマーとオリゴマー、モノマーとの混在した状態であってもよい。
【００２８】
たとえばＭＭＡ樹脂の場合には、ＭＭＡポリマーとＭＭＡモノマーとの混在状態にあるシロップ（たとえば、三菱レーヨン株式会社や、三井化学株式会社、株式会社クラレ製等のもの）として考慮され、その粘度はＭＭＡポリマーの含有率との関係として、表１のように例示される。
【００２９】
【表１】
2005298529.tif 000002
【００３０】
この出願の発明で粘度２Ｐａ・ｓ（２０℃）以上の樹脂を用いることは、従って、液状物あるいは粘稠物、もしくは溶融物としての
（１）樹脂（ポリマー）そのもの
（２）ポリマーとモノマーとの混在状態
（３）ポリマーとオリゴマーとの混在状態
（４）オリゴマーとモノマーとの混在状態
（５）ポリマー、オリゴマー、およびモノマーの混在状態
の少くともいずれの、粘度１Ｐａ・ｓ（２０℃）以上のものを用いることを意味している。
【００３１】
ただ、粘度が過剰に高い場合には、実際的には透明性母材中への混合、分散の操作、作業が著しく困難になる。このため、一般的な目安としては、限定的ではないが、粘度の上限は１００Ｐａ・ｓ（２０℃）程度までを考慮することができる。
【００３２】
これらの透明性母材は、この発明が提供する蓄光発光材の用途に応じて、たとえば必要とされる強度や耐候性、耐水性、耐摩耗性等の物理化学的性能を勘案してその種類が選択されることになる。
【００３３】
透明性母材については、蓄光発光材の全体重量を基準として、７〜９５重量％の範囲にあるように使用される。７重量％未満の場合には、無機質粒子としての蓄光発光性顔料やその他の顔料、さらには骨材を分散して結合保持するマトリックス材としての機能が低下、もしくは失われることになる。所要の強度等の物理化学的性能が充分なものとならず、ひいては蓄光発光作用が所要のものにならないという問題を生じる。一方、９５重量％を超える場合には蓄光発光性能が顕著に低下することになる。
【００３４】
この出願の発明の蓄光発光材においては、蓄光発光性顔料成分とともに他の顔料成分も適宜に混合されてよい。この場合の蓄光発光性顔料成分（Ａ）と他の顔料成分との重量比については、一般的には、Ｂ／Ａとして３．０以下であることが好ましい。Ｂ／Ａが３．０を超える場合には、他の顔料成分、その多くは無機質粒子であるが、これによって蓄光発光性顔料成分が隠蔽されてしまい外部からの光の吸収による蓄光とこれによる発光作用が阻害されることになる。
【００３５】
他の顔料成分としては様々な色調のものであってよいが、たとえば代表的には、白色顔料、黄色顔料、オレンジまたは赤色の顔料が例示される。白色顔料としては、たとえば酸化ジルコニウム系顔料、酸化チタン系顔料、水酸化アルミニウム系顔料等が例示される。なかでも、ジルコニア（酸化ジルコニウム）や珪酸ジルコン等の酸化物や複合酸化物からなる白色顔料は、光の隠蔽力が他のものに比べて小さいため蓄光発光効果の点ではより好ましいものである。
【００３６】
黄色顔料としては、たとえばクロムイエロー、カドミウムイエロー、ニッケルチタンイエロー等が、オレンジまたは赤色の顔料としては、ベンガラ、カドミウムレッド、モリブデンレッド、等が例示されることになる。もちろん、これ以外にも、青、緑、黒等の様々なものが考慮される。
【００３７】
これらの他の顔料成分については、その平均粒径は一般的には０．１μｍから７０μｍ程度までの範囲とするのが好ましい。１.０μｍ、さらには０.１μｍ以下の小さな粒径では、その混合によって、蓄光発光性顔料成分を隠蔽しやすなるからである。
【００３８】
以上のような無機顔料とともに、またはこれらとは別に、有機顔料が適宜に配合されてもよいことは言うまでもない。また、この出願の発明の蓄光発光材においては、透明性の骨材、たとえば珪石、ガラス、水晶、溶融シリカ等が混合されてもよい。これらの透明性骨材（Ｄ）については、透明性母材（Ｃ）との重量配合比Ｄ／Ｃとして、０．１〜６の範囲とすることが一般的に好ましい。
【００３９】
透明性骨材は、蓄光発光材の成形硬化体に所要の強度や耐摩耗性等の物理的性能を付与向上させるために有効であるだけでなく、その透明性によって、粒子内部での光の透過とその表面界面での光の乱反射機能とによって、蓄光発光性顔料の蓄光発光作用を増幅する役割を果たすものとして有効でもある。
【００４０】
ただ、透明性母材への配合が０．１重量倍未満の場合にはその増幅機能はあまり期待できない。一方、６重量倍を超える場合には、蓄光発光材の成形体の強度等を損うことになるため好ましくない。
【００４１】
また、透明性骨材については、その粒径としては０．１ｍｍ以上、さらには０．３ｍｍ以上で、成形硬化体の厚みの１／３以下であることが好ましい。
これらの透明性骨材以外にも、無機質の充填材が配合されてもよい。その粒径としては０．１ｍｍ未満であって、たとえば溶融シリカ粉、石英（珪石）粉、炭酸カルシウム、水酸化アルミニウム、プラスチック粉、ガラス粉等である。
【００４２】
この出願の発明の蓄光発光材は、たとえば以上のとおりの透明性母材に蓄光発光性顔料成分、もしくはこれに他の顔料成分や透明性骨材のうちの１種以上も含めた成分を混合してペースト、モルタルまたは粘稠物を調製し、これを成形硬化することによって製造されることになる。
【００４３】
このような製造方法においては、上記混合による調製が極めて重要な要件となる。特に、蓄光発光性顔料として比較的大粒径のものと、これを均一に分散させるマトリックスとして粘性の高い透明性母材を使用する場合には特に重要である。
【００４４】
まず強調されることは、この出願の発明によって、上記の調製は、ペースト、モルタルまたは他の粘稠物の単位体積当りの気泡含有率を２％以下とすることを特徴とする方法が提供される。
【００４５】
混合調製時には、通常攪拌が行われるが、この攪拌の条件を、気泡含有率２％以下になるようにすることである。攪拌装置の選択、攪拌時の回転数、攪拌時の雰囲気等がコントロールされることになる。
【００４６】
攪拌混合にともなって気泡が生成するが、蓄光発光性顔料成分よりも比較的粒径の小さい顔料成分や比重の小さい顔料成分は、気泡の残存にともなって混合調製物の成形時や表面部に浮き上がり、蓄光発光性顔料成分を隠蔽しやすいという問題が生じる。時に混合調製物の単位体積当りの気泡含有率が２％を超えるとこの隠蔽による不具合は無視できないものとなる。
【００４７】
このような気泡含有率の制御のためには、常圧から５０ｋＰａ以上減圧した雰囲気下で混合調製することが有効である。透明性母材がガラスの場合には減圧度をより大きくすることが好ましい。この減圧雰囲気下で混合することで、気泡の残存は効果的に抑制することができる。減圧度が小さいとその効果は充分ではない。
【００４８】
なお、上記の気泡含有率については、たとえば容器内に充填した後に雰囲気を常圧から０気圧まで減圧した場合の体積減少率を測定する方法によって測定することができる。
【００４９】
また、蓄光発光性性能の向上のためには、混合調製時のコンタミ（異物混入）を抑えることも有効である。特に、攪拌装置からの金属等の異物の混入は極力抑えることが好ましい。
【００５０】
そのためには、この出願の発明においては、混合装置を構成する混合容器の内面や攪拌羽根の表面硬が顔料や透明性骨材の硬さよりも大きいものとすることが有効であるが、便法としては、混合容器の内面や攪拌羽根が透明もしくは白色の被覆材によって被覆されたものを用いることも有効である。この被覆材によって、たとえ微量の異物混入があっても、蓄光発光性能にはほとんど、もしくは全く影響を及ぼすことがない。
【００５１】
透明もしくは白色の被覆材としては、たとえばアルミナの溶射膜やセラミックプレートの貼り付け、ガラス、シリコンゴム、シリコン樹脂、フッ素樹脂、ＭＭＡ系樹脂等が例として挙げられる。
【００５２】
以上のようにして混合調製されたペースト、モルタルあるいは他の粘稠物の形態の混合物は、型枠への打設等の適宜な手段によって成形されて硬化される。これによって、所定の形状の成形硬化体としてこの出願の発明の蓄光発光材が得られることになる。
【００５３】
なお、成形硬化体において、その表面部に蓄光発光性顔料以外の他の顔料成分が成形打設時の浮上がり等によって偏在し、隠蔽が無視できない場合には、成形硬化体表面の切削や、ウォータージェット噴射処理により隠蔽層（部）を効果的に除去することができる。
【００５４】
そこで以下に実施例を示し、さらに詳しく実施の形態について説明する。なお、以下の実施例においての蓄光発光性能の評価は、ＪＩＳ「蓄光安全標識板」Ｚ９１００−１９８７に準拠して、Ｄ６５常用光源で２００Ｌｘ（ルックス）を飽和状態になるまで照射した後に、輝度が３ｍｃｄ／ｍ2になるまでの時間をもって評価基準としている。
【００５５】
もちろん、以下の例によって発明が限定されることはない。
【００５６】
【実施例】
＜実施例１＞
ＭＭＡポリマーとＭＭＡモノマーとが混在するＭＭＡ樹脂シロップとしてＭＭＡポリマーの含有率と粘度とが異なるものを各種用意し、このものに、以下の配合（重量）比となるように蓄光発光性顔料成分等を混合した。
【００５７】
ＭＭＡ樹脂シロップ                  ３５．５
樹脂硬化剤                            ０．５
アルミン酸ストロンチウム系          ５０．０
蓄光発光性顔料
（（株）根本特殊化学製、平均粒径  １００μｍ）
水酸化アルミニウム                  １４．０
（平均粒径  １０μｍ）
混合は０．１気圧の減圧雰囲気条件下に行った。その際に混合調製物の単位体積当りの気泡含有率を１％以下になるようにした。
【００５８】
得られた混合調製物を、厚み５ｍｍの板状体に注型成形して硬化させた。
成形硬化体について、前記のとおり、３ｍｃｄ／ｍ2の輝度になるまでの時間を測定し、蓄光発光性能を評価した。その結果を表２に例示した。
【００５９】
【表２】
2005298529.tif 000003
【００６０】
表２より、樹脂シロップの粘度が１．０Ｐａ・ｓ（２０℃）未満の場合には、３ｍｃｄ／ｍ2までの時間が８時間を超えることが難しいことがわかる。一方、１．０Ｐａ・ｓ（２０℃）以上の場合には、８時間を超え、１４時間以上にも達することがわかる。
＜実施例２＞
実施例１において、ＭＭＡ樹脂シロップの粘度６．０Ｐａ・ｓ（２０℃）のものを用いかつ、アルミン酸ストロンチウム系蓄光発光性顔料の平均粒径の異なるものを用いて、同様にして成形硬化体を得た。
【００６１】
各々のものについて、３ｍｃｄ／ｍ2までの時間を測定した。その結果を表３に例示した。
【００６２】
【表３】
2005298529.tif 000004
【００６３】
大粒径の蓄光発光性顔料成分の使用によって極めて顕著な蓄光発光性能の向上が実現されることが確認された。一方、１０μｍ未満の場合には３ｍｃｄ／ｍ2までの時間が８時間を超えることがないことも確認された。
＜実施例３＞
実施例１において、ＭＭＡ樹脂シロップの粘度６．０Ｐａ・ｓ（２０℃）のものを用い、混合時の雰囲気を変更し、また混合装置を変更して攪拌混合を行った。
【００６４】
各々の場合の３ｍｃｄ／ｍ2に至るまでの時間を測定し、その結果を表４に例示した。表４における減圧度（ｋＰａ）は常圧からの減圧した度合いを示している。
【００６５】
なお、混合装置Ａ、Ｂ、Ｃは次のものを示している。
Ａ：混合容器内面、攪拌羽根ともにステンレス製
Ｂ：Ａにおいて攪拌羽根表面のみシリコンゴム被覆
Ｃ：Ａにおいて混合容器内面、攪拌羽根表面ともにシリコンゴム被覆
【００６６】
【表４】
2005298529.tif 000005
【００６７】
５０ｋＰａ以上減圧することが有効であることと、混合装置内面と攪拌羽根表面のシリコンゴム被覆が良好な性能を与えることが確認された。
＜実施例４＞
ＭＭＡポリマーとＭＭＡモノマーとが混在するＭＭＡ樹脂シロップ（粘度６．０Ｐａ・ｓ（２０℃）を用意し、このものに以下の配合（重量）比となるように蓄光発光性顔料成分等を混合した。
【００６８】
ＭＭＡ樹脂シロップ                  ３５．５
樹脂硬化剤                            ０．５
アルミン酸ストロンチウム系          ５４．０
蓄光発光性顔料
（（株）根本特殊化学製、平均粒径  １５０μｍ）
他の顔料                            １０．０
（平均粒径  ３０μｍ）
各種の顔料を用いた場合の成形硬化体について、実施例１と同様に製造し、３ｍｃｄ／ｍ2までの時間を測定した。その結果を表５に例示した。
【００６９】
【表５】
2005298529.tif 000006
【００７０】
白色顔料としてのジルコニアはその隠蔽性が小さいことから蓄光発光性能に優れていることがわかる。
＜実施例５＞
実施例４において、他の顔料として水酸化アルミニウムを用い、蓄光発光性顔料（Ａ）と水酸化アルミニウム顔料（Ｂ）との配合比を変更した場合の３ｍｃｄ／ｍ2までの時間について評価した。その結果を表６に例示した。
【００７１】
【表６】
2005298529.tif 000007
【００７２】
重量比Ｂ／Ａが３を超える場合に急激に蓄光発光性能が低下することが確認された。
＜実施例６＞
実施例４において、他の顔料として水酸化アルミニウムを用い、各成分の配合比を変更した場合の３ｍｃｄ／ｍ2までの時間を測定した。その結果を表７に例示した。
【００７３】
【表７】
2005298529.tif 000008
【００７４】
透明性母材の割合が９５％を超える場合には蓄光発光性能の低下が著しいことがわかる。透明性母材が９５％の場合であっても、大きな径の蓄光発光性顔料を使用することによって３ｍｃｄ／ｍ2までの時間が６時間の結果が得られている。このことも、これまでは全く予期できなかったのである。また７％未満の場合には破断が生じ、成形硬化体を得ることが困難であった。
【００７５】
＜実施例７＞
他の顔料として水酸化アルミニウムを用いる場合の実施例４において、ＭＭＡ樹脂シロップに代えて、シリコーン樹脂（信越化学製、ＫＥ１３１０Ｓ）を用いて成形硬化体を得た。このものの粘度は、約５０Ｐａ・ｓ（２０℃）である。
【００７６】
このものの３ｍｃｄ／ｍ2までの時間は１４時間であった。良好な蓄光発光性能が得られることが確認された。
＜実施例８＞
実施例４において他の顔料として水酸化アルミニウムとし、アルミン酸ストロンチウム系蓄光発光性顔料の配合を２４．０とし、透明性骨材として平均粒径５０μｍの珪石粉を３０．０の割合で配合した。
【００７７】
このものの３ｍｃｄ／ｍ2までの時間は、蓄光発光性顔料の配合を大きく減らしたにもかかわらず、約１３時間と良好であった。
透明性母材（Ｃ）とこの骨材（Ｄ）との重量比は０．８４５であったが、この重量比を変更したところ、蓄光発光性能の変化は次の表８のとおりであった。
【００７８】
【表８】
2005298529.tif 000009
【００７９】
【発明の効果】
以上詳しく説明したとおり、この出願の発明によって、大粒径の蓄光発光性顔料を高粘性の透明性母材に均一分散させることにより高性能の蓄光発光成形体を実現することができる。また、気泡や異物の混入を防止することでさらなる高性能化が図られる。
【００８０】
これによって、従来からは想定することも予見することも全くできない新しい蓄光発光材が提供される。